(57)【要約】【課題】電子書籍の作者とアニメ漫画系クリエータ（作品の作家）とが当該電子書籍に掲載される作品を受発注するに際して、希望要件にマッチする相手を容易に発掘することが可能なシステムを提供する。【解決手段】作者端末と作家端末とにネットワークを介して接続されるシステムにおいて、予め登録されている各作家の作家情報及び作者端末からの作家の探索要求に含まれる探索条件に基づき、作者側の希望要件にマッチする作家を発注先候補として自動的に選出する作家探索手段と、発注先候補として選出された作家のサンプル画像を含む探索結果を作者端末に送信する探索結果送信手段と、作者端末と上記発注先候補の中から作者により選択された作家の作家端末との間で当該作品の受発注契約に関する情報を伝達して契約を締結する処理を実行する契約締結手段と、を備える。【選択図】図１
2010113487.tif 000002
【特許請求の範囲】
【請求項１】
電子書籍に掲載されるアニメ漫画系作品の発注を希望する当該電子書籍の作者と前記作品のクリエータである作家とをネットワークを利用して結びつけて所望相手の発掘及び当該作品の受発注契約の支援処理を行うマッチングシステムであって、
作者端末と作家端末とにネットワークを介して接続され前記支援処理を実行するサーバと、前記作家の作品のサンプル画像を含む作家情報を作家毎に保管する作家情報データベースと、を備え、
前記サーバは、
前記作者端末からの前記作家の探索要求を受付けて、前記作家情報データベースに登録されている前記作家情報及び前記探索要求に含まれる探索条件に基づき、作者側の希望要件にマッチする作家を発注先候補として前記作家情報データベースに登録されている作家群の中から自動的に選出する作家探索手段と、
前記発注先候補として選出された作家の前記サンプル画像を含む作品リストを前記作家情報に基づいて生成し、前記作品リストを含む探索結果を前記探索要求に対する応答として前記作者端末に送信する探索結果送信手段と、
前記作者端末と前記発注先候補の中から前記作者により選択された作家の作家端末との間で前記作品の受発注契約に関する情報を伝達して契約を締結する処理を実行する契約締結手段と、
を有することを特徴とする、電子書籍の作者とアニメ漫画系クリエータとを結びつけるマッチングシステム。
【請求項２】
前記契約締結手段は、前記発注先の作家と前記作者との間で所定の契約条件が合意された際に、前記契約条件で規定された前記作家に対して支払う初期契約金額が前記作者の与信枠の範囲内であることを条件として、前記初期契約金額を前記マッチングシステムの運営者が保証した受発注契約を締結する処理を実行することを特徴とする、請求項１に記載の電子書籍の作者とアニメ漫画系クリエータとを結びつけるマッチングシステム。
【請求項３】
前記作家端末から送信された当該作品の画像データを受信して前記作者端末へ納品データとして送信すると共に、その送信による前記作者への納品の完了を確認した後に前記作品の代金のクレジットカード決済を確定し、当該代金の決済処理を当該決済システムとの間で自動的に実行する代金決済手段を更に有することを特徴とする、請求項１又は２に記載の電子書籍の作者とアニメ漫画系クリエータとを結びつけるマッチングシステム。
【請求項４】
前記作品の代金を初期契約金で全て支払う第１契約形態と、前記作品の代金を小額の初期契約金及び当該作品が掲載された電子書籍の販売額の歩合で支払う第２契約形態を有し、前記代金決済手段は、前記第１契約形態の場合は、前記作者への納品の完了を確認した後に前記作品代金の決済処理を実行し、前記第２契約形態の場合は、前記作者への納品の完了を確認した後に前記初期契約金の決済処理を実行すると共に、前記電子書籍の販売処理を行うコンピュータから受信した前記電子書籍の販売情報に基づいて前記歩合に応じた代金の決済処理を実行することを特徴とする、請求項３に記載の電子書籍の作者とアニメ漫画系クリエータとを結びつけるマッチングシステム。
【請求項５】
前記サーバは、前記電子書籍の販売機能を有する販売システムとネットワークを介して接続されており、且つ、前記契約締結手段により締結された当該電子書籍の契約情報を当該作家の契約実績情報として記録する契約情報記録手段と、前記作品が掲載された電子書籍の販売情報を前記販売システムから受信すると共に、その販売情報を当該作家の販売実績情報として記録する販売実績記録手段と、を更に有し、前記探索結果送信手段は、前記契約実績情報と前記販売実績情報とを当該作家の評価情報として前記探索結果に含めて前記作者端末に送信する機能を有することを特徴とする、請求項１乃至４のいずれかに記載の電子書籍の作者とアニメ漫画系クリエータとを結びつけるマッチングシステム。
【請求項６】
前記探索条件は、前記作者端末の画面上で指定される条件であって、且つ、指定された語を前記作家情報の中に含むという第１条件、指定された作品の属性が予め登録されている作品の属性と一致するという第２条件、若しくは、指定された発注希望価格と作家側の希望要件として予め登録されている受注希望価格との差が所定範囲内であるという第３条件、又はこれらを組み合わせた条件を含むことを特徴とする、請求項１乃至５のいずれかに記載の電子書籍の作者とアニメ漫画系クリエータとを結びつけるマッチングシステム。
【請求項７】
前記サーバは、前記作者からの前記作家に対するアプローチ情報を含む作者情報を作者毎に保管する作者情報データベースと、前記作者情報データベースに登録されている各作者のアプローチ情報を前記作家端末からの閲覧要求に応じて送信すると共に、前記作家端末の画面上で選択された当該作者端末に対して、前記作家情報データベースに登録されている前記サンプル画像を含む受注要求情報を送信し当該作者に提示する受注要求提示手段と、を更に有することを特徴とする、請求項１乃至６のいずれかに記載の電子書籍の作者とアニメ漫画系クリエータとを結びつけるマッチングシステム。
【請求項８】
前記アプローチ情報は、前記作家に作画して貰いたい作品のサンプル画像及び当該作品の総ページ数を含むことを特徴とする、請求項７に記載の電子書籍の作者とアニメ漫画系クリエータとを結びつけるマッチングシステム。
【請求項９】
前記アプローチ情報は、当該作品の発注希望価格及び納期を含むことを特徴とする、請求項７又は８に記載の電子書籍の作者とアニメ漫画系クリエータとを結びつけるマッチングシステム。
【発明の詳細な説明】
【技術分野】
【０００１】
本発明は、仕事の受発注を希望する電子書籍の作者とアニメ漫画系クリエータとをネットワークを利用して結びつけるマッチングシステムに関し、特に、電子書籍の中に配置される作品（特にアニメ漫画系の作品）を受発注するに際して所望の相手を容易に発掘できると共に、安全性の確保された契約を成立させることが可能なシステムに関する。
【背景技術】
【０００２】
電子書籍の販売が一般化したことにより、販売ルートを持たないＳＯＨＯ（Small  Office／Home  Office）や小規模・零細起業家などが、ビジネスの成功方法やダイエットの方法などのマニュアルを販売する際に、一般書籍のような販売ルートを用いることなく、インターネットを利用した電子書籍のダウンロード販売により容易に実現できるようになった。そのため、現在はＳＯＨＯや小規模・零細起業家でも実力さえあれば、成功できる道筋ができたと考えることができる（電子書籍のダウンロード販売に関する技術については、例えば特許文献１、２を参照）。
【０００３】
【特許文献１】特開２００７−１５６７８３号公報
【特許文献２】特願２００８−４５４９１号
【発明の開示】
【発明が解決しようとする課題】
【０００４】
しかしながら、上記のような小規模・零細起業家などが著作する電子書籍は文書が中心であり、わずかに簡単な画像が挿入されているだけで、一般の書店で販売されている書籍と比べると、かなり見劣りするのが現実である。逆に、「アニメ漫画系クリエータ」と呼ばれる作家達は自分の作品が世に認められるまでは、出版会社などの仕事を請けるのに、大変低い金額で請けるしか方法がないのが現状である。
【０００５】
見劣りすると言われる電子書籍の作者は、本当は一般の書店で販売されている書籍のように漫画や挿絵、イラストなどを随所に配置した完成度の高い作品を作りたいと考えている。一方、アニメ漫画系クリエータは、広く一般から仕事を請ける仕組みがなく、日々生活のために苦労しているのが現状である。
【０００６】
本発明は上述のような事情から成されたものであり、本発明の目的は、電子書籍の作者とアニメ漫画系クリエータとが当該電子書籍に掲載される作品を受発注するに際して、所望の相手を容易に発掘することができ、また、安全性の確保された契約を成立させることが可能なマッチングシステムを提供することにある。
【課題を解決するための手段】
【０００７】
本発明は、アニメや漫画などの画像を表紙や本文中に配置した電子書籍を制作するに際して、電子書籍の作者の希望とアニメ漫画系クリエータの希望とがマッチするように両者を結びつけるマッチングシステムに関するものであり、本発明の上記目的は、
（１）電子書籍に掲載されるアニメ漫画系作品の発注を希望する当該電子書籍の作者と前記作品のクリエータである作家とをネットワークを利用して結びつけて所望相手の発掘及び当該作品の受発注契約の支援処理を行うマッチングシステムであって、作者端末と作家端末とにネットワークを介して接続され前記支援処理を実行するサーバと、前記作家の作品のサンプル画像を含む作家情報を作家毎に保管する作家情報データベースと、を備え、前記サーバは、前記作者端末からの前記作家の探索要求を受付けて、前記作家情報データベースに登録されている前記作家情報及び前記探索要求に含まれる探索条件に基づき、作者側の希望要件にマッチする作家を発注先候補として前記作家情報データベースに登録されている作家群の中から自動的に選出する作家探索手段と、前記発注先候補として選出された作家の前記サンプル画像を含む作品リストを前記作家情報に基づいて生成し、前記作品リストを含む探索結果を前記探索要求に対する応答として前記作者端末に送信する探索結果送信手段と、前記作者端末と前記発注先候補の中から前記作者により選択された作家の作家端末との間で前記作品の受発注契約に関する情報を伝達して契約を締結する処理を実行する契約締結手段と、を有することによって達成される。
【０００８】
さらに、本発明の上記目的は、
（２）前記契約締結手段は、前記発注先の作家と前記作者との間で所定の契約条件が合意された際に、前記契約条件で規定された前記作家に対して支払う初期契約金額が前記作者の与信枠の範囲内であることを条件として、前記初期契約金額を前記マッチングシステムの運営者が保証した受発注契約を締結する処理を実行すること、
（３）前記作家端末から送信された当該作品の画像データを受信して前記作者端末へ納品データとして送信すると共に、その送信による前記作者への納品の完了を確認した後に前記作品の代金のクレジットカード決済を確定し、当該代金の決済処理を当該決済システムとの間で自動的に実行する代金決済手段を更に有すること、
（４）前記作品の代金を初期契約金で全て支払う第１契約形態と、前記作品の代金を小額の初期契約金及び当該作品が掲載された電子書籍の販売額の歩合で支払う第２契約形態を有し、前記代金決済手段は、前記第１契約形態の場合は、前記作者への納品の完了を確認した後に前記作品代金の決済処理を実行し、前記第２契約形態の場合は、前記作者への納品の完了を確認した後に前記初期契約金の決済処理を実行すると共に、前記電子書籍の販売処理を行うコンピュータから受信した前記電子書籍の販売情報に基づいて前記歩合に応じた代金の決済処理を実行すること、
（５）前記サーバは、前記電子書籍の販売機能を有する販売システムとネットワークを介して接続されており、且つ、前記契約締結手段により締結された当該電子書籍の契約情報を当該作家の契約実績情報として記録する契約情報記録手段と、前記作品が掲載された電子書籍の販売情報を前記販売システムから受信すると共に、その販売情報を当該作家の販売実績情報として記録する販売実績記録手段と、を更に有し、前記探索結果送信手段は、前記契約実績情報と前記販売実績情報とを当該作家の評価情報として前記探索結果に含めて前記作者端末に送信する機能を有すること、
（６）前記探索条件は、前記作者端末の画面上で指定される条件であって、且つ、指定された語を前記作家情報の中に含むという第１条件、指定された作品の属性が予め登録されている作品の属性と一致するという第２条件、若しくは、指定された発注希望価格と作家側の希望要件として予め登録されている受注希望価格との差が所定範囲内であるという第３条件、又はこれらを組み合わせた条件を含むこと、
（７）前記サーバは、前記作者からの前記作家に対するアプローチ情報を含む作者情報を作者毎に保管する作者情報データベースと、前記作者情報データベースに登録されている各作者のアプローチ情報を前記作家端末からの閲覧要求に応じて送信すると共に、前記作家端末の画面上で選択された当該作者端末に対して、前記作家情報データベースに登録されている前記サンプル画像を含む受注要求情報を送信し当該作者に提示する受注要求提示手段と、を更に有すること、
（８）前記アプローチ情報は、前記作家に作画して貰いたい作品のサンプル画像及び当該作品の総ページ数を含むこと、
（９）前記アプローチ情報は、当該作品の発注希望価格及び納期を含むこと、
によってそれぞれ一層効果的に達成される。
【発明の効果】
【０００９】
本発明によれば、電子書籍の作者とアニメ漫画系クリエータ（作家）とが当該電子書籍に掲載される作品を受発注するに際して、作者側の希望要件にマッチする作家を発注先候補として自動的に選出し、選出された作家の作品サンプル画像（作風を見るためのサンプル画像）を作者の通信端末に表示するようにしているので、電子書籍の作者が所望のクリエータを容易に発掘することが可能となる。また、作家は、作品サンプル画像等の作家情報を登録しておくだけで、仕事の依頼を受けることが可能となる。
【００１０】
そのため、電子書籍の作者にとっては完成度の高い作品を作ることができ、アニメ漫画系クリエータにとっては、広く一般から仕事を請けることができるようになるなど、２者の満足度を確実に上げることが可能となる。
【００１１】
さらに、作家に対して支払う初期契約金額をシステム側で保証する構成とすること、作者への納品の完了を確認した後にクレジットカード決済の確定処理を行う構成とすることで、安全性の確保された契約を成立させることが可能となる。
【発明を実施するための最良の形態】
【００１２】
以下、本発明の好適な実施の形態について図面を参照して説明する。
【００１３】
図１は、本発明に係るマッチング契約システム（以下「マッチングシステム」と呼ぶ）を適用したコンピュータネットワークシステムの全体構成の一例を示すブロック図である。先ず、本発明に係るマッチングシステムの概要を説明する。
【００１４】
本発明に係るマッチングシステム１は、電子書籍の表紙や本文中に配置される作品（本例ではアニメ漫画系クリエータによる画像による作品）を対象として、その作品の制作を依頼する依頼者２（本例では当該電子書籍の著作者であり、以下「作者」と呼ぶ）と、漫画家や作画家などのアニメ漫画系クリエータ３（以下「作家」と呼ぶ）とをネットワーク４を利用して結びつけて、所望の相手の発掘及び当該作品の受発注契約に関する支援処理を実行するコンピュータシステムである。
【００１５】
マッチングシステム１は、上記支援処理に関する機能としては、例えば、作品の発注先となる作家３の探索要求を作者２の通信端末２ａから受付けて（あるいは、作品の受注先となる作者２の探索要求を作家３の通信端末３ａから受付けて）、自己の希望要件と相手の希望要件とがマッチ（適合）する相手を発注先候補（あるいは受注先候補）として自動的に選出する機能や、作家３に支払う当該作品の代金の自動決済に関する処理を実行する機能を備えている。
【００１６】
なお、一般的に「アニメ漫画系クリエータ」とは、いわゆる「マンガ絵」を描く人達を指しているが、本発明で言う「作家（アニメ漫画系クリエータ）」は、そうした絵（ＣＧ（Computer  Graphics）・イラスト）に限らず、小説（ライトノベル）やフィギュアなどの立体物、そしてコスチューム・プレイなど、アニメ・漫画に関係する表現手段を駆使しているクリエータ全般を指している。
《マッチングシステムの構成》
図１において、マッチングシステム１は、作品の発注に係る作者２の希望要件と作品の受注に係る作家３の希望要件とのマッチング処理や、当該作品の受発注に関する契約支援処理を実行するマッチング処理サーバ１１（以下「契約支援サーバ」と呼ぶ）と、上記のマッチング処理や契約支援処理に関連する各種データを格納するデータベース１２（若しくはデータベース・サーバ）とを備えており、マッチングシステム１内の契約支援サーバ１１は、インターネットや移動体通信網などのネットワーク４を介して、電子書籍の作者２の通信端末２ａ（以下「作者端末」と呼ぶ）と、アニメ漫画系クリエータである作家３の通信端末３ａ（以下「作家端末」と呼ぶ）とに接続されている。
【００１７】
マッチングシステム１内の主要なデータベース１２としては、作者２の会員情報や作家３に対するアプローチ情報を含む作者情報を作者毎に保管する作者データベース１２ａと、作家３の会員情報及び作品のサンプル画像を含む作家情報を作家毎に保管する作家情報データベース１２ｂと、当該作品が掲載された電子書籍の販売情報を作家ＩＤ（identification  data）等に関連付けて保管する販売実績データベース１２ｃと、作者２と作家３との間で締結された当該電子書籍の契約情報を電子書籍ＩＤ，作者ＩＤ及び作家ＩＤ等に関連付けて保管する契約情報データベース１２ｄとを備えている。
【００１８】
マッチングシステム１に接続される作者端末２ａと作家端末３ａは、ブラウザ機能を搭載したＰＣ（パーソナルコンピュータ）や携帯電話機などのユーザが所有する一般的な通信端末である。
【００１９】
マッチングシステム１は、本実施の形態においては、作者端末２ａと作家端末３ａの他に、電子書籍の販売機能を有する販売システム５と接続されており、作家３の作品が掲載された電子書籍が販売システム５側で販売された際に、その販売売上高などの販売情報を販売システム５からネットワーク４を介して受信すると共に、その販売情報を作家ＩＤに関連付けて当該作家の販売実績情報として販売実績データベース１２ｃに自動記録する機能を備えている。その販売実績情報は、例えば、電子書籍の作者２が、所望の作家を探す際の作家の評価要素として用いられる。
【００２０】
図１に示される販売システム５と決済システム７の構成については後述するものとし、図１中の契約支援サーバ１１の構成について、図２を参照して説明する。
【００２１】
《契約支援サーバの機能構成》
図２は、契約支援サーバ１１が有する各手段の機能構成の一例を示すブロック図である。なお、図２に示される各手段の名称は、説明の便宜上で付与した名称であり、ソフトウェアの構成や処理の順序を限定するものではない。
【００２２】
図２に示すように、契約支援サーバ１１は、本発明に係る主要な情報処理手段として、作家情報登録手段１１ａと、作家探索手段１１ｂと、探索結果送信手段１１ｃと、契約締結手段１１ｄと、代金決済手段１１ｅと、作者情報登録手段１１ｆと、受注要求提示手段１１ｇと、を備えている。これらの手段をＣＰＵに実行させるためのコンピュータプログラムやデータ類は、契約支援サーバ１１の記憶媒体に格納されている。
【００２３】
以下、図２に示される各手段１１ａ〜１１ｇについて順次説明する。
【００２４】
（１）作家情報登録手段１１ａ
作家情報登録手段１１ａは、作家端末３ａから受信した登録要求に応じて、作家情報を作家ＩＤに関連付けて作家情報データベース１２ｂに登録する処理を実行する手段である。
【００２５】
作家情報データベース１２ｂに保管される作家情報は、ユーザＩＤ，パスワード，氏名，住所，電子メールアドレス等の会員情報の他に、当該作家の作品のサンプル画像（及びそのキャプション）と作家詳細情報とを含んでいる。作家詳細情報としては、例えば、自分のプロフィール（自己紹介の情報），当該作品の受注に関する作家側の希望要件（作品の受注希望価格や納期に関する作家側の契約関連情報、作品代金の支払形態など），与信審査や作品代金の決済処理に用いるクレジットカード情報，作家が登録した任意の検索キーワード（以下「登録タグ」と呼ぶ）などがある。
【００２６】
本実施の形態では、作家の作品（サンプル）は、予め設定された作品の属性毎にそれぞれ１つ以上登録可能としており、作家情報登録手段１１ａでは、当該作家の作品サンプルを、漫画，挿絵，イラストなどの作品カテゴリ（第１属性）を示す第１分類コード、オリジナルの作品か二次創作の作品かの作品種別（第２属性）を示す第２分類コード、及び、キャラクタの性別，キャラクタの有無（背景のみか否か）などのキャラクタ属性（第３属性）を示す第３分類コードなど、複数の分類コードに関連付けて、それらの分類コードや登録タグを含む各種の検索キーワードで検索可能に、作家情報データベース１２ｂに登録し、各作家の作品サンプルを作品サンプル一覧として保管するようにしている。また、作家３は、新たなサンプルの投稿、他のサンプルとの入替え、当該サンプルの削除などが可能であり、作家３によって投稿された各作品は、投稿日（年月日）と共に記憶される。
【００２７】
（２）作家探索手段１１ｂ
作家探索手段１１ｂは、作者端末２ａからの作家の探索要求を受付けて、作者側の希望要件と作家側の希望要件とがマッチする作家を探索する手段である。本実施の形態では、作家探索手段１１ｂは、作家情報データベース１２ｂに登録されている作家情報及び探索要求に含まれる探索条件に基づき、会員登録されている作家群の中から、作者側の希望要件にマッチする作家（作者側の希望要件と作家側の希望要件とが適合する作家）を発注先候補として自動的に選出する形態としている。
【００２８】
探索要求に含まれる上記探索条件は、作者端末２ａの画面上で指定される条件（あるいは、上記探索条件の一部若しくは全てが作者２によって予め作者情報データベース１２ａに登録されている条件）であり、例えば、指定された語を作家情報（会員情報，プロフィール，作家側の希望要件，検索用として登録されているキーワード等）の中に含むという第１条件、指定された作品の属性が予め登録されている作品の属性と一致するという第２条件、若しくは、指定された発注希望価格と作家側の希望要件として予め登録されている受注希望価格との差が所定範囲内であるという第３条件など、複数の条件のうちの一つ、又はこれらを組み合わせた条件である。なお、入力された探索要求に含まれる条件を作者データベース１２ａに登録しておき、２回目以降の探索要求の際には、条件の入力を省略可能とする形態としても良い。
【００２９】
（３）探索結果送信手段１１ｃ
探索結果送信手段１１ｃは、作者端末２ａからの作家の探索要求に対する応答として、作家探索手段１１ｂによって発注先候補として選出された作家の情報を作者端末２ａに送信する手段である。探索結果送信手段１１ｃでは、例えば、発注先候補として選出された作家の作家情報（サンプル画像、そのキャプション、カテゴリ情報等）を作家情報データベース１２ｂから読み出し、その作家情報に基づいて生成された各候補のサンプル画像を含む作品リストを探索結果（探索要求に対する応答）として、要求元の作者端末２ａに送信し、作者端末２ａの表示部に表示させる処理を実行する。
【００３０】
（４）契約締結手段１１ｄ
契約締結手段１１ｄは、作者端末２ａと作家端末３ａとの間で作品の受発注契約に関する情報を伝達して契約を締結する処理を実行する手段である。契約締結手段１１ｄでは、作者端末２ａの表示部に表示された作品リスト等の探索結果を参照して作者２が発注先候補の中から発注先として選択した作家３と、その作者２との間で所定の契約条件が合意された際に、例えば、契約条件で規定された作家に対して支払う初期契約金額が、作者の与信枠の範囲内であることを条件として、初期契約金額をマッチングシステム１の運営者であるＡＳＰ（Application  Service  Provider）が保証した受発注契約を締結する処理を実行する。その際、契約締結手段１１ｄは、電子書籍と作者と作家との関係が認識し得るように、締結された当該電子書籍の契約情報を、電子書籍ＩＤ，作者ＩＤ及び作家ＩＤ（異なる作家の作品が電子書籍に組込まれる場合は各作家の作家ＩＤ）に関連付けて契約情報データベースに記録するようにしている。なお、上記作者の与信枠は、例えば外部の与信審査サーバを介してクレジットカード決済の与信・枠取り処理を実行し自動的に設定した与信枠である。
【００３１】
（５）代金決済手段１１ｅ
代金決済手段１１ｅは、作家３に対して支払う作品の代金をクレジットカード決済や銀行振込などによって決済する手段である。代金決済手段１１ｅでは、例えば、作家端末３ａから送信された当該作品（本例では画像データ）を受信して作者端末２ａへ納品データとして送信すると共に、その送信による作者２への納品の完了を確認した後に作品の代金のクレジットカード決済を確定し、当該代金の決済処理を決済システム７との間でネットワーク４を介して自動的に実行する。
【００３２】
本実施の形態では、作品の代金を初期契約金で全て支払う形態（「第１契約形態」とする）と、作品の代金を小額の初期契約金及び当該作品が組込まれた電子書籍の販売額の歩合で支払う形態（「第２契約形態」とする）とがある。第１契約形態の場合は、契約金＝受注入金となる。第２契約形態の場合は、契約時は小額の手付金を作家３に対して支払い、その後は印税のように販売に対しての報酬になる。
【００３３】
代金決済手段１１ｅでは、例えば、第１契約形態の場合は、電子データにより納品された作品（本例では画像データ）を納品書データと共に作者端末２ａに送信する。そして、作者端末２ａからの作品の受信完了レスポンスの受信、あるいは、作者２による納品内容の承諾操作による作者端末２ａからの承諾コマンドの受信により、作者２への納品の完了を確認した後にクレジットカード決済を確定し、決済システム７を介して作品代金の決済処理を実行する。そして、前記第２契約形態の場合は、作者２への納品の完了を確認した後に初期契約金の決済処理を実行すると共に、例えば、販売システム５から受信した電子書籍の販売情報に基づき、電子書籍に掲載されている当該作品の作家に対して、その電子書籍の販売額の歩合を報酬（以下「印税報酬」と呼ぶ）として確定し、作家３に対して支払う印税報酬の決済処理を決済システム７を介して実行する。この印税報酬による作品代金の支払処理は、販売が続くかぎり継続する。
【００３４】
なお、本実施の形態では、販売システム５による電子書籍の販売が発生した時点（課金決済の時点）で、購入者が購入した商品の代金は、例えば一旦全て販売システム５の運営会社（あるいはマッチングシステム１と販売システム５の両方を運営する運営会社）の口座に入金され、電子書籍の売上金額から印税報酬（アフィリエイト販売システムの場合は、更にアフィリエイタへの紹介報酬）の振込金額を控除し、システム利用料を差し引いた上で、電子書籍の販売者の口座へ自動的に振込むと共に、作家３に対する印税報酬を口座振込み等によって自動的に振込むようにしている。このような課金決済処理は、課金・決済に係るデータ送受方式を規定したＡＰＩ（Application  Program  Interface）に基づいて、販売システム５と決済システム７とが連携して動作することで実行される。
【００３５】
（６）作者情報登録手段１１ｆ
作者情報登録手段１１ｆは、作者２側からの作家３に対するアプローチ情報を作者情報データベース１２ａに登録する手段である。このアプローチ情報は、電子書籍の作者側から作家に対してアプローチする場合に使用される情報であり、例えば、作家に作画して貰いたい作品のサンプル画像と総ページ数とを含み、その他に作者詳細情報として、自分（作者）のプロフィール，当該作品の発注に関する作者側の希望要件（作品の発注希望価格や納期に関する作者側の契約関連情報、作品代金の支払形態など）などがある。
【００３６】
（７）受注要求提示手段１１ｇ
作者情報登録手段１１ｆによって登録されたアプローチ情報は、各作家３がＰＣや携帯端末等の作家端末３ａから、ネットワーク４を介して閲覧及び検索することができる。
【００３７】
受注要求提示手段１１ｇは、上記アプローチ情報をネットワーク４上に公開し、作家端末３ａからの閲覧要求に応じてアプローチリスト（各作者のアプローチ情報）を送信する機能の他に、アプローチ情報を参考にして作家が選択した作者に対して、受注希望を示す情報を電子メールやＦＡＸ（ファクシミリ）等の情報伝達手段により送信して提示する機能を備えている。
【００３８】
受注要求提示手段１１ｇでは、例えば、作家端末３ａの画面上に表示されたアプローチ情報を参考にして、画面上で作者が選択された際に、その作者端末２ａ（予め登録されている電子メールアドレス，ＦＡＸ番号で特定される端末）に対して、作家３の作品サンプル画像を含む受注要求情報をネットワーク４を介して送信し当該作者に提示する処理を実行する。
《マッチングシステムの動作例》
次に、本発明に係るマッチングシステム１の動作例について具体例を示して説明する。
【００３９】
マッチングシステム１での受発注契約に係る処理形態としては、図２に示した各手段を用いて、作家（アニメ漫画系クリエータ）から作者にアプローチする場合の処理形態と、それとは逆に作者から作家にアプローチする場合の処理形態とがある。以下、それぞれの処理形態におけるマッチングシステム１の動作例を順次説明する。
【００４０】
《１．作家から作者にアプローチする場合の動作例》
先ず、作家３側から作者２にアプローチする場合のマッチングシステムの動作例について、図３を参照して説明する。なお、既に説明した事項については説明を簡略化又は省略して説明する。
【００４１】
先ず、図３中のステップＳ１〜Ｓ５の流れに沿って、作家３が電子書籍の作者２にアプローチするための作家情報の登録手順を説明する。
【００４２】
作家３は、マッチングシステム１のＷｅｂサイトにアクセスして、作家端末３ａに表示された会員登録用の登録画面から作家としての会員登録を行う（ステップＳ１）。マッチングシステム１の作家情報登録手段１１ａは、作家端末３ａから受信した会員情報を作家情報データベース１２ｂに登録すると共に（ステップＳ２）、ユーザＩＤ（作家ＩＤ）及びパスワード等を含む登録完了メールを作家端末３ａに送信し（ステップＳ３）、作家としての登録が完了した旨を作家３に通知する（ステップＳ４）。
【００４３】
会員登録した作家３は、作者２にアプローチするための情報として、例えば、自分が描いた漫画，挿絵，イラストなどの作品サンプル（本例ではサンプル画像）を作家端末３ａから送信してマッチングシステム１に登録し、更に、作家詳細情報として、受注に関する希望要件（受注希望金額，納期，受注における希望）やプロフィール（自己紹介の情報）を登録画面上で入力してマッチングシステム１に登録する（ステップＳ５）。
【００４４】
マッチングシステム１は、ステップＳ５で登録された作品サンプルを、各作家の作品サンプルを示す作品サンプル一覧に掲載する。その作品サンプル一覧に掲載された作品サンプルは、電子書籍の作者２が所望の作家３（漫画家・作画家等のアニメ漫画系クリエータ）を探し出す際の参考情報として、作者端末２ａからの作家の探索要求に応じて電子書籍作者２に提示される（ステップＳ６）。
【００４５】
電子書籍の作者２は、作品のカテゴリや受注金額、納期などの探索条件を設定した探索要求を作者端末２ａから送信し、作品サンプル一覧に掲載された作家群の中から、絞込み検索で自分の条件にあう作家を探索する（ステップＳ７）。
【００４６】
ここで、上記ステップＳ７における探索手順について具体例を示して説明する。
【００４７】
電子書籍の作者２は、作画して貰いたい作品の作家３を探す際に、作家の作風を見て、好みの作家を探してオファーを出す流れとなる。そこで、本実施の形態では、マッチングシステム１の作家探索手段１１ｂは、作者端末２からの探索要求（作家の探索要求）を受付けると、先ず、各作家の作品（本例ではサンプル作品）を検索するための作品検索画面のウェブページを作者端末２ａに送信して、図４に示すような作品検索画面Ｇ１を作者端末２の表示部に表示する。
【００４８】
図４の例では、作家の探索条件（以下「検索条件」と呼ぶ）として、キーワード、検索モード（イラスト，漫画等の作品カテゴリ別の検索モード）、作品種別、及びキャラクタ属性を設定可能とし、また、検索結果として作者端末２ａの表示部に表示される作品サンプルの並び順（新着順，作品カテゴリ順，作家名順などの表示順序の形態）を設定可能としている。なお、好ましい実施の形態では、上記のような検索条件（「第１条件」とする）の他に、作品の発注希望価格（発注する作品の総額、若しくは、漫画１コマ当たりの価格の上下限値等の条件）や、作家の実績（今までの契約実績，当該作品が掲載された電子書籍の販売実績の下限値等の条件）を設定できるようにしている。その検索条件は、図４に示す作品検索画面Ｇ１に含めても良く、上記第１条件での検索結果を示す画面内に設定しておき、発注先候補を更に絞り込むための第２条件として用いるようにしても良い。
【００４９】
マッチングシステム１では、作家検索画面Ｇ１を用いて作者２により入力された検索条件（作家の探索条件）を含む探索要求をネットワーク４を介して受信し、その検索条件及び作家からのアプローチ情報として作家情報データベース１２ｂに登録されている作家情報に基づいて、会員登録されている作家群の中から、作者の希望要件にマッチする作家を発注先候補として選出する。例えば、第１条件の他に発注希望価格が検索条件として指定されている場合は、第１条件を満たし、且つ、指定された発注希望価格と作家側の希望要件として予め登録されている受注希望価格との差が所定範囲内の作家を発注先候補として選出する。そして、選出された作家の各候補のサンプル画像を含む作品リストを作家の探索結果として要求元の作者端末２ａに送信し、図５に示すような作品リストＧ２を作者端末２の表示部に表示する。
【００５０】
図５に示す作品リストＧ２の作品群の中から作者２がどれかを選択して、その画像をクリックすると、マッチングシステム１では、その画像にリンクされている当該作家の作家詳細情報を作家情報データベース１２ｂから読み出して、図６に示すようなプロフィールＧ３を作者端末２の表示部に表示する。
【００５１】
図６の例では、代表の作品サンプル（若しくは自分の写真や自画像），作家の名前（若しくは愛称），職種，自己紹介の情報，作品の傾向分析（作家詳細情報に基づく分析処理結果），主な登録タグ，最近の投稿作品，などが、当該作家のプロフィールとして表示するようにしている。図６中の「キーワード」は、例えば、その作家が設定したキーワード（自分の作品の分類要素）であり、該当のキーワードをクリックすると、そのキーワードで分類されている作品サンプルの一覧が表示される。図６中の「もっと見る」は、当該作家の作品サンプルを詳しく見るための操作キーであり、「もっと見る」をクリックすると、図６の画面が切替わって、図７に示すような当該作家の作品一覧を示す一覧画面Ｇ３が表示される。
【００５２】
以上のように、前記ステップＳ７において、作者２は、前述の第１条件〜第３条件などの検索条件に合致した作家の作品サンプルを見て、その作風により好みの作家を絞り込む。
【００５３】
そして、作家３の希望内容（受注における希望など）や作家３のプロフィール等を参考に、作画を依頼したい人（アプローチ先）を選択する（ステップＳ８）。
【００５４】
マッチングシステム１では、作者用アプローチ情報登録画面を用いて作者２により入力された情報（作画して貰いたい作品のサンプル画像，総ページ数，納期など）を作者端末２ａから受信し、各作家３による閲覧が可能なアプローチリスト（各作者のアプローチ情報）として作者情報データベース１２ａに登録すると共に、例えば、上記ステップＳ８において選択された人（作家３）に対して、当該作者２のアプローチ情報を電子メールやＦＡＸ等の情報伝達手段により作家端末３ａに送信して提示する（ステップＳ９）。
【００５５】
作家３は、そのアプローチ内容を参考に仕事を引受けるか否かを判断し、受注の可否を示す回答情報をマッチングシステム１経由で作者端末２ａに送信して回答する（ステップＳ１０）。そして、その回答を受けた作者２は、受注する旨の回答であれば、当該作家に対して仕事を依頼する（ステップＳ１１）。その際の依頼はマッチングシステム１を介して行われ、マッチングシステム１では、依頼メッセージを受信して、決済システム７の与信処理サーバを介してクレジットカード決済の与信・枠取り処理を実行し、前述の第１契約形態又は第２契約形態で規定された初期契約金が、作者２に対して設定された与信枠の範囲内であることを条件として、作者２と作家３との間の受発注契約を締結する処理（作者端末２ａ，作家端末３ａへの契約書の送信処理等）を実行すると共に初期契約金の課金処理を実行する（ステップＳ１２）。それによって作者２と作家３との間の契約が成立する（ステップＳ１３）。
【００５６】
本実施の形態では、上記テップＳ１２では、初期契約金の課金処理だけが実行され、初期契約金の決済処理（クレジットカード決済の確定処理）については、前述のように、作者２から依頼された作品を作家３が納品したときに決済システム７を介して実行される形態としている。
【００５７】
以上のような実施形態とすることで、電子書籍の作者は、作者側の希望要件と作家側の希望要件とがマッチする作家を容易に探し出すことができると共に、作家の作風を見て、好みの作家を容易に発掘することが可能となる。さらに、発注者は、作品が納品されないかぎりクレジットカード決済が確定しないので、安心して発注することができる。また、受注者（作家）は、初期契約金がシステム側で確保・保全されているので、安心して制作に取り組むことができる。
【００５８】
《第２契約形態における作家への報酬の支払処理》
次に、第２契約形態における報酬の支払処理について説明する。
【００５９】
マッチングシステム１では、契約形態が第２契約形態の場合は、例えば、契約時は決済システム７を介して初期契約金（小額の手付金）を作家３に対して支払う処理を実行し、その後は、販売システム５と決済システム７を介して、印税のように販売に対して報酬を支払う処理を実行する。
【００６０】
以下に説明する実施の形態では、作者２が電子書籍の販売を販売システム５に依頼する際に、マッチングシステム１経由で依頼し、依頼を受付けたマッチングシステム１が、例えば作家報酬（例えば売上のα％）に関する課金決済情報を販売システム５に送信して販売システム５側のデータベース５２に登録しておき、その課金決済情報と電子書籍の販売情報に基づいて、販売システム５と決済システム７との連携処理により作家報酬の支払処理を実行する形態としている。
【００６１】
上記第２契約形態における報酬の支払処理を説明するに先立ち、先ず、図１に示される販売システム５の構成と決済システム７の構成について順次説明する。
【００６２】
《販売システムの構成》
販売システム５は、電子書籍のダウンロード方式による販売サービスや、購入者６の通信端末６ａ（端末ＰＣ，携帯電話機等の「購入者端末」）からの電子書籍の閲覧サービスなどを提供する機能を備えたコンピュータシステムであり、それらのサービスを提供するためのウェブサーバ５１（以下「電子書籍処理サーバ」と呼ぶ）と電子書籍処理用データベース５２と仮想店舗５３とを備えている。なお、仮想店舗５３は、販売システム５とは異なるＡＳＰ（Application  Service  Provider）によって運営される店舗システムであっても良い。
【００６３】
電子書籍処理用データベース５２としては、仮想店舗１３に出品される電子書籍の情報を書籍ＩＤ及び当該電子書籍のカテゴリを示すカテゴリＩＤ等と関連付けて格納する電子書籍保管データベース５２ａと、発行者の情報（発行者の氏名、住所、売上代金の振込先口座等）を発行者ＩＤに対応付けて格納する発行者情報データベース５２ｂと、購入した電子書籍の情報（書籍ＩＤを含む購入履歴）を購入者の認証情報と関連付けて格納する購入者情報データベース５２ｃと、後述するキャリア種別毎の書籍コンテンツを書籍ＩＤ及びキャリア種別と関連付けて格納する書籍コンテンツデータベース５２ｄと、仮想店舗５３で販売された電子書籍の販売情報を書籍ＩＤと関連付けて格納する販売実績データベース５２ｅと、を備えている。
【００６４】
電子書籍処理サーバ５１は、電子書籍の購入者端末６ａへのダウンロード販売による販売処理を実行するダウンロード販売処理手段５１ａと、当該電子書籍のコンテンツデータを購入要求元の端末６ａにダウンロードすると共に、そのダウンロードが完了した時点で購入者６に対する電子書籍の代金の課金決済処理を決済システム７を介して自動的に実行する課金決済処理手段５１ｂとを備えている。購入代金の決済の形態としては、クレジット決済、銀行口座振込、コンビニ決済（例えば自動付与された「振込番号」を店舗のレジで伝え、あるいは端末を用いて代金を支払う決済形態）、電子マネーやポイント等による電子的な決済の各決済形態があり、課金決済処理手段５１ｂは、購入者６が選択した決済形態に応じた課金，決済処理を実行する。
【００６５】
本実施の形態では、課金決済処理手段５１ｂでは、上記課金決済処理の他に、作家３の作品が組込まれた電子書籍が販売された際（例えば、購入者端末６ａへの電子書籍のダウンロードが完了した時点で）、第２契約形態における作家３への報酬支払処理を自動的に実行する形態としている。
【００６６】
電子書籍処理サーバ５１は、上記手段２１ａ，２１ｂの他に、所定のフォーマットで作成された電子書籍の元ファイルを入力する電子書籍ファイル入力手段、携帯電話機用のデータ変換処理手段、購入者６によって購入された電子書籍に対する購入者端末６ａからの閲覧を制御する閲覧制御手段、作者端末２からマッチングシステム１経由でアップロードした電子書籍の公開情報を仮想店舗１３において公開する書籍情報公開手段、及び電子書籍の販売情報をマッチングシステム１に送信する販売情報送信手段を備えている。
【００６７】
《決済システムの構成》
一方、決済システム７は、販売システム５との間の情報の授受方式を規定した課金ＡＰＩのプロトコルに従って、商品代金（ユーザ１が購入した電子書籍の代金）の決済情報を販売システム５に送信する処理と、販売システム５から報酬情報を受信する処理とを実行する連携処理手段と、その連携処理手段で受信した報酬情報に基づいて販売者の口座に振込む商品代金を決定し、その商品代金を販売者の口座に振込む処理を実行する決済処理手段と、を備えている。
【００６８】
《第２契約形態における報酬の支払処理に関する動作例》
上述のような構成において、第２契約形態における報酬の支払処理に関する動作例について、図１の構成図及び図８のフローチャートを参照して説明する。
【００６９】
購入者６の通信端末６ａから電子書籍の注文を受付けた販売システム５は、決済システム７に対して電子書籍の注文情報を送信し、電子書籍の代金の決済を要求する。決済要求を受付けた決済システム７は、注文情報に基づき、購入者６のカード番号に対応するカード会社のコンピュータとの間でユーザの認証処理をした後、完了通知（注文受付完了通知）を販売システム５へ送信する。決済システム７から完了通知を受信した販売システム５は、完了画面を購入者端末６ａの表示部に表示して通知し、電子書籍の注文受付が完了した旨を購入者６に知らせる（ステップＳ２１、Ｓ２２）。
【００７０】
決済システム７は、販売システム５へ上記完了通知を送信すると共に、課金ＡＰＩを呼出し、商品ＩＤ及びその商品代金（本例では電子書籍ＩＤ及び電子書籍の代金）の決済情報を含む決済完了通知を販売システム５に送信する（ステップＳ２３）。
【００７１】
なお、上記ステップＳ２３における課金ＡＰＩの呼出し（販売システム５に対する決済完了通知の送信）は、完了通知（注文の受付完了通知）を販売サイト１０へ送信する時点で発生させる第１の処理形態、即時決済又はクレジット決済に応じて商品代金をユーザの口座から引落とした時点で発生させる第２の処理形態、商品のクーリングオフ期間（キャンセル可能期間）が経過した時点で発生させる第３の処理形態、及び、商品のクーリングオフ期間が経過し且つ商品の返品有効期間が経過した時点で発生させる第４の処理形態がある。本実施の形態では第１の処理形態としているが、いずれの処理形態としても良く、また、決済システム４０が複数の場合は、決済会社毎に処理形態を設定できるようにしても良い。
【００７２】
課金ＡＰＩによる決済完了通知を受信した販売システム５は、決済完了通知に含まれる決済情報に基づき、当該電子書籍の売上額に応じて作家報酬（作家３に対する報酬）を決定し、課金ＡＰＩを用いてその報酬情報を決済システム７に返信する（ステップＳ３１〜Ｓ３３）。
【００７３】
販売システム５から報酬情報を受信した決済システム７は、受信した報酬情報と、商品代金の決済情報、及び決済手数料の設定情報とに基づいて、出品店舗に対しては、商品の売上金額から作家報酬（例えば売上のα％）と決済手数料（売上のβ％）とを差し引いた残額を、当該店舗（販売者）の指定口座への振込等によって支払う処理を実行し（ステップＳ３４、Ｓ３５）、販売システム５に対しては、販売システム５から受信した報酬情報に基づいて、作家に対する報酬分の金額を販売システム５の運営者（ＡＳＰ）の口座へ振込む処理を実行し（ステップＳ３６）、決済完了通知を販売システム５に送信し（ステップＳ３７）、当該電子書籍の決済処理を終了する。
【００７４】
決済システム７から決済完了通知を受信した販売システム５は、作家報酬額からシステム利用料を差し引いた報酬額を口座振込等によって作家３に対して支払う処理を実行する。また、その際、その電子書籍の情報を作家端末３ａに送信して、当該作品が掲載された電子書籍が販売された旨（及び口座振込が完了した旨）を通知し、報酬の支払処理を終了する。なお、アフィリエイト販売処理機能を有する場合は、販売システム５は、作家３に対する報酬の支払処理の他に、アフィリエイタ（紹介者）に対するアフィリエイト報酬の支払処理を実行する（ステップＳ２４、Ｓ２５）。
【００７５】
なお、上記ステップＳ２４、Ｓ２５における作家３に対する報酬支払処理は、決済システム７からの決済完了通知をマッチングシステム１が直接（又は販売システム５を経由して）受信し、マッチングシステム１側で実行する形態としても良い。
【００７６】
《２．作者から作家にアプローチする場合の動作例》
次に、作者２側から作家３にアプローチする場合の動作例について、図９を参照して説明する。なお、作家から作者にアプローチする場合の処理と同様の処理については説明を簡略化又は省略して説明する。
【００７７】
電子書籍の作者２は、作者端末２ａに表示された会員登録用の登録画面から作者としての会員登録を行う（ステップＳ４１）。マッチングシステム１の作者情報登録手段１１ｆは、作者端末２ａから受信した会員情報を作者情報データベース１２ａに登録すると共に（ステップＳ４２）、ユーザＩＤ（作者ＩＤ）及びパスワード等を含む登録完了メールを作者端末２ａに送信し（ステップＳ４３）、作者としての登録が完了した旨を作者２に通知する（ステップＳ４４）。
【００７８】
会員登録した作者２は、作家３にアプローチするための作者情報として、例えば、作画して貰いたい作品のサンプル（及び作品カテゴリ，作品種別等の属性情報），総ページ数を登録し、更に、作者詳細情報として、発注に関する希望要件（発注希望金額，納期，発注における希望，契約形態など）やプロフィール（自己紹介の情報）を登録画面上で入力してマッチングシステム１に登録する（ステップＳ４５）。
【００７９】
マッチングシステム１は、上記ステップＳ４２，Ｓ４５において作者端末２ａから受信した作者情報を作者ＩＤに関連付けて作者情報データベース１２ａに登録する。その作者情報は、作家端末３ａからの作者の閲覧要求（探索要求）に応じて作家３に提示される（ステップＳ４６）。
【００８０】
仕事の受注を希望する作家３は、作品のカテゴリや受注金額、納期などの検索条件を設定した探索要求を作家端末３ａから送信し、会員登録されている作者群の中から、絞込み検索で自分の条件にあう作者を探索する（ステップＳ４７）。
【００８１】
ここで、上記ステップＳ４７における探索手順について具体例を示して説明する。
【００８２】
仕事の受注を希望する作家３は、発注を希望している作者群の中から条件が合う作者を探す際に、作者側が希望している作品の作風や作家のプロフィールなどを見て、好みの作者を探して仕事の発注を申請する流れとなる。本実施の形態では、マッチングシステム１の探索手段（作者探索手段）は、前述の第１条件〜第３条件のような検索条件（作家から見た条件）の設定が可能な作者検索画面を用いて、作家３により入力された検索条件（作者の探索条件）を含む探索要求をネットワーク４を介して受信し、その検索条件及び作者からのアプローチ情報として作者情報データベース１２ａに登録されている作者情報に基づいて、会員登録されている作者群の中から、検索条件を満たす作者２の作者情報（作者が希望する作品のサンプル画像，総ページ数を含む情報）を探索結果として要求元の作家端末３ａに送信し、作家端末３ａの表示部に表示する。例えば、探索結果として表示されている当該作家のサンプル画像を作家３がクリックすると、マッチングシステム１では、その画像にリンクされている当該作者の作者詳細情報を作者情報データベース１２ａから読み出して、作者のプロフィールを作家端末３の表示部に表示する。
【００８３】
以上のように、前記ステップＳ４７において、作家３は、検索条件に合致した作者のサンプル画像や総ページ数，納期，価格，プロフィール等の作者情報を参考に、仕事の受注を希望する作者２（アプローチ先）を選択する（ステップＳ４８）。
【００８４】
マッチングシステム１では、例えば、前述のステップＳ１１及びステップＳ１５において登録されている作家情報に基づいて、ステップＳ４８で選択された作者２に対するアプローチリスト（作家の作品サンプルや希望要件を含むアプローチ情報）を生成し、当該作家３のアプローチ情報を電子メールやＦＡＸ等の情報伝達手段により作者端末２ａに送信して提示する（ステップＳ４９）。
【００８５】
作者２は、そのアプローチ内容を参考に発注するか否かを判断し、発注の可否を示す回答情報をマッチングシステム１経由で作家端末３ａに送信して回答する（ステップＳ５１。その際、発注可の回答であれば、マッチングシステム１では、前述のステップＳ１２と同様に、受発注契約の締結、及び初期契約金額の課金処理を実行する（ステップＳ５２）。それによって作者２と作家３との間の契約が成立する（ステップＳ５３）。
【００８６】
以上のような実施形態とすることで、仕事の受注を希望する作家は、作家側の希望要件と作者側の希望要件とがマッチする作者を容易に探し出して、作者にアプローチすることが可能となる。また、作者にとっては、希望要件がマッチする作家からのアプローチなので、発注先候補を容易に絞り込んで、好みの作家に発注することが可能となる。
【００８７】
《マッチングシステムと販売システムとの連係動作について》
次に、マッチングシステム１と販売システム５との連係動作について説明する。
【００８８】
前述のように、マッチングシステム１は、作家３の作品が掲載された電子書籍が販売システム５側で販売された際に、その販売売上高などの販売情報（書籍ＩＤを含む当該電子書籍の販売情報）を販売システム５からネットワーク４を介して受信すると共に、その販売情報を作家ＩＤに関連付けて当該作家の販売実績情報として販売実績データベース１２ｃに自動記録する機能を備えている。そして、電子書籍の作者２が所望の作家３を探す際の作家の評価要素として、上記販売実績情報を用いるようにしている。
【００８９】
なお、販売システム５から受信した販売情報に含まれる書籍ＩＤは、本例では、販売システム５側で付与された書籍ＩＤである。マッチングシステム１では、例えば、販売対象の電子書籍のデータを販売システム５に送信した際に、その応答として販売システム５から書籍ＩＤを受信し、その書籍ＩＤと電子書籍ＩＤ（マッチングシステム１で自動付与する書籍ＩＤ）とを対応付けて記憶しておくことで、当該電子書籍を特定すると共に、電子書籍ＩＤと作者ＩＤと作家ＩＤとの対応関係の記憶情報に基づいて、販売された電子書籍と作者と作家との関係を自動認識するようにしている。
【００９０】
ここで、マッチングシステム１が提供する作家の評価情報について説明する。
【００９１】
マッチングシステム１は、作家の評価処理に関わる手段として、契約締結手段１１ｄにより締結された当該電子書籍の契約情報を電子書籍ＩＤ，作者ＩＤ及び作家ＩＤに関連付けて、当該作家の契約実績情報として契約情報データベース１２ｄに記録する契約情報記録手段と、作品が組込まれた電子書籍の販売情報を販売システム５から受信すると共に、その販売情報を作家ＩＤに関連付けて当該作家の販売実績情報として販売実績データベース１２ｃに記録する販売実績記録手段と、を備えている。
【００９２】
そして、前述の探索結果送信手段１１ｃでは、例えば、作者端末２ａからの作家の探索要求に対する応答（探索結果）を送信する際に、上記契約実績情報と販売実績情報とを当該作家の評価情報として、作品サンプル等の探索結果に含めて作者端末２ａに送信するようにしている。
【００９３】
詳しくは、探索結果送信手段１１ｃでは、販売システム５から受信した販売情報（契約情報データベース１２ｄに記録された契約実績情報、及び契約情報データベース１２ｄに記録されている契約情報に基づいて、当該作家の契約実績情報（契約の累積数，契約形態毎の平均契約金額など）と販売実績情報（当該作家の作品が掲載された電子書籍の累積販売売上高など）を作家評価情報として自動生成し、その作家評価情報を作者２に提示するようにしている。例えば、作者端末２ａの表示部に探索結果として表示される各作家の作品サンプルやプロフィールの画面上に、上記作家評価情報を表示して当該作者２に提示することで、作品のサンプル画像などと一緒に当該作家の実績や平均契約金額を作者２が見て作家３を評価できるようにしている。
【００９４】
このように、マッチングシステム１と販売システム５とが連動していることで、契約の累積数と、契約の種別（形態）と平均契約金額、累積販売売上高などを自動記録し、作家のサンプルやプロフィールの画面上に表示することで、その作家の実績や平均契約金額を作者が確認できるようにしている。言い換えると、電子書籍の作者２が、その情報を見ることで、作家の作風が好みのものか、作者の予算に合うかどうかなどを総合的に判断してオファーを出すことが可能となる。
【００９５】
なお、上述した実施の形態においては、探索要求に作者側（又は作家側）の希望要件を設定して、探索する場合を例として説明したが、当該作品の発注に関する作者側の希望要件（希望要件の一部又は全て）を作者情報データベースに登録しておき、その作者側の希望要件と、作家情報データベースに登録されている作家側の希望要件とを自動的に照合して、両者の希望要件がマッチする場合に、作者又は作家（又はその両者）により予め設定されている通知形態に応じて、一方（作家又は作者）の情報を他方（作者又は作家）に対して電子メール等の情報伝達手段により送信して自動通知する形態としても良い。
【００９６】
また、電子書籍に掲載される作品は、イラスト画像などの静止画による作品を例として説明したが、動画による作品でも良く、静止画又は動画の画像データに対応する音データ（音声や楽音のデータ）を有する作品でも良い。
【図面の簡単な説明】
【００９７】
【図１】本発明に係るコンピュータネットワークシステムの全体構成の一例を示すブロック図である。
【図２】本発明に係る契約支援サーバの機能構成の一例を示すブロック図である。
【図３】作家から作者にアプローチする場合のマッチングシステムの動作例を説明するためのフローチャートである。
【図４】作者端末に表示される作品検索画面の一例である。
【図５】作家の探索結果として表示される作品リストの一例である。
【図６】作家の詳細情報を示すプロフィール画面の一例である。
【図７】作家の作品一覧を示す一覧画面の一例である。
【図８】本発明に係る第２契約形態における報酬の支払処理を説明するためのフローチャートである。
【図９】作者から作家にアプローチする場合のマッチングシステムの動作例を説明するためのフローチャートである。
【符号の説明】
【００９８】
１  マッチングシステム
２  作者（電子書籍の著者）
２ａ  通信端末
３  作家（アニメ漫画系クリエータ）
３ａ  通信端末
４  ネットワーク
５  販売システム
６  購入者
６ａ  通信端末
７  決済システム
１１  マッチング処理サーバ（契約支援サーバ）
１１ａ  作家情報登録手段
１１ｂ  作家探索手段
１１ｃ  探索結果送信手段
１１ｄ  契約締結手段
１１ｅ  代金決済手段
１１ｆ  作者情報登録手段
１１ｇ  受注要求提示手段
１２  契約支援処理用データベース
１２ａ  作者情報データベース
１２ｂ  作家情報データベース
１２ｃ  販売実績データベース
１２ｄ  契約情報データベース
５１  電子書籍処理サーバ
５１ａ  ダウンロード販売処理手段
５１ｂ  課金決済処理手段
５２  電子書籍処理用データベース
５２ａ  電子書籍保管データベース
５２ｂ  発行者情報データベース
５２ｃ  購入者情報データベース
５２ｄ  書籍コンテンツデータベース
５２ｅ  販売実績データベース
５３  仮想店舗
【図１】
2010113487.tif 000003
【図２】
2010113487.tif 000004
【図３】
2010113487.tif 000005
【図４】
2010113487.tif 000006
【図５】
2010113487.tif 000007
【図６】
2010113487.tif 000008
【図７】
2010113487.tif 000009
【図８】
2010113487.tif 000010
【図９】
2010113487.tif 000011